(57)【特許請求の範囲】
【請求項１】
袋織りにより結合し袋を形成するエアバッグ基布であり、該エアバッグ基布を構成する緯糸の色彩とは異なる色彩の糸を少なくとも1本以上位置決め用目印糸として緯糸のみに用いてなることを特徴とする袋織りエアバッグ基布。
【請求項２】
袋織りにより結合し袋を形成するエアバッグ基布であり、該エアバッグ基布を構成する緯糸の色彩とは異なる色彩の糸を少なくとも1本以上位置決め用目印糸として緯糸のみに用いてなることを特徴とする袋織りエアバッグ基布を用いたエアバッグの製造方法。
【請求項３】
袋織りにより結合し袋を形成するエアバッグ基布であり、該エアバッグ基布を構成する経糸及び緯糸の色彩とは異なる色彩の糸を少なくとも1本以上位置決め用目印糸として緯糸のみに用いてなることを特徴とする袋織りエアバッグ基布。
【請求項４】
袋織りにより結合し袋を形成するエアバッグ基布であり、該エアバッグ基布を構成する経糸及び緯糸の色彩とは異なる色彩の糸を少なくとも1本以上位置決め用目印糸として緯糸に用いてなることを特徴とする袋織りエアバッグ基布を用いたエアバッグの製造方法。
【発明の詳細な説明】
【０００１】
【発明の属する技術分野】
本発明は自動車用安全装置の一つであるエアバッグに関するものであり、輸送車両における搭乗者を正面保護または側面保護するために特に有益なエアバッグに関するものである。
【０００２】
【従来の技術】
近年、自動車安全部品の一つとしてエアバッグは乗員の安全意識の向上に伴い、急速に装着率が向上している。エアバッグは自動車の衝突事故の際、衝撃をセンサーが感知し、インフレーターから高温及び／または高圧のガスを発生させ、このガスによってエアバッグを急激に展開させ、乗員保護に役立つものである。
【０００３】
従来、エアバッグには運転席用、助手席用の正面からの衝突時に乗員を保護するものが装着されてきたが、最近では側面からの衝突にも対応できるエアバッグが開発されてきた。
【０００４】
運転席用、助手席用のエアバッグは従来2枚のエアバッグ基布を縫製することによって、作製されている。しかし、最近、エアバッグの性能向上および製造コストの削減から製織段階で袋体を形成することが出来る袋織り技術が注目されている。袋織エアバッグは、その利点によりエアバッグ縫製工程は省くことができる。しかし、縫製工程で行っていたエアバッグへの自動車部材等取付け位置印付けが困難となり、そのため、袋織エアバッグを正確にインフレーターや自動車部材へ取り付ける作業やエアバッグに付属品を取り付ける作業性が低下した。
【０００５】
また、袋織り基布はその性質上基布の段階で袋が形成されており、裁断時にカットミスが起こると、袋部分の損傷へ繋がり、ロス率が急激に増加する可能性が高く、裁断時に細心の注意を払わなければならない。
【０００６】
【発明が解決しようとする課題】
運転席用および助手席用袋織りエアバッグの場合、数秒から10秒程度の内圧保持が不必要なため、通常軽量、コンパクト化を目的としてノンコート布が用いられている。そのため、低通気性の高密度織物が必要とされている。また、運転席用および助手席用および側面保護用のどの袋織りエアバッグも、展開した際1重部と2重部のつなぎ目で目ずれが起こり、空気漏れやインフレーターからの残さの飛び出しが大きな問題となっている。この問題を解決するため高密度織物が必要とされている。
【０００７】
そのため、特開平５−２１３１３８２号公報のように、袋部内の織組織を変更して目印をつけると、該目印部組織と袋部地組織のクリンプ率の違い等から糸の緩み及び／またはつりが起こり、袋部基布のフラット性が得られず、更には通気度も上昇する。よって、高密度織物の利点を十分に発揮することが出来ない。
【０００８】
また、特許２６６６６５８０号に、目的は異なるが色糸を用いる手法がある。しかしこれは、色糸を用いる場所を経糸、緯糸のどちらにも規定していない。高密度織物の場合、経糸のテンションむらは、基布の製織性を損ね、品位を低下させるため、経糸は同一糸を用いなければならない。よって、この方法では経糸に色糸を入れることによる品位悪化をまぬがれない。
【０００９】
さらに、袋織エアバッグの場合、製織段階で既にエアバッグが形成されるため、該エアバッグに裁断開始点や、インフレーター・自動車部材への取付け位置印が無ければ、後工程での取扱い性が低下し、製品として仕上がったエアバッグシステムがバラツキの多いものとなる。
【００１０】
本発明は、上記のような問題を解決すべく、エアバッグ本来の性能に影響を及ぼさず、容易にかつ正確にエアバッグを生産することのできる袋織エアバッグ基布及びエアバッグの製造方法を提供することを目的とするものである。
【００１１】
【課題を解決するための手段】
上記課題を解決するための手段、即ち、本発明の第１は、袋織りにより結合し袋を形成するエアバッグ基布であり、該エアバッグ基布を構成する緯糸の色彩とは異なる色彩の糸を少なくとも1本以上位置決め用目印糸として緯糸のみに用いてなることを特徴とする袋織りエアバッグ基布であり、
【００１２】
その第２は、袋織りにより結合し袋を形成するエアバッグ基布であり、該エアバッグ基布を構成する緯糸の色彩とは異なる色彩の糸を少なくとも1本以上位置決め用目印糸として緯糸のみに用いてなることを特徴とする袋織りエアバッグ基布を用いたエアバッグの製造方法であり、
【００１３】
その第３は、袋織りにより結合し袋を形成するエアバッグ基布であり、該エアバッグ基布を構成する経糸及び緯糸の色彩とは異なる色彩の糸を少なくとも1本以上位置決め用目印糸として緯糸のみに用いてなることを特徴とする袋織りエアバッグ基布であり、
【００１４】
その第４は、袋織りにより結合し袋を形成するエアバッグ基布であり、該エアバッグ基布を構成する経糸及び緯糸の色彩とは異なる色彩の糸を少なくとも1本以上位置決め用目印糸として緯糸のみに用いてなることを特徴とする袋織りエアバッグ基布を用いたエアバッグの製造方法である。
【００１５】
【発明の実施の形態】
本発明の袋織りエアバッグ基布を構成する原糸は、特に素材を限定するものではないが、特にナイロン66、ナイロン6、ナイロン46、ナイロン12などの脂肪族ポリアミド繊維、アラミド繊維のような芳香族ポリアミド繊維、ポリエチレンテレフタレートやポリブチレンテレフタレートなどのホモポリエステルが使用される。他には全芳香族ポリエステル、超高分子量ポリエチレン繊維、PPS繊維、ポリエーテルケトン繊維などが挙げられる。ただし、経済性を勘案するとポリエステル繊維、ポリアミド繊維（ナイロン66、ナイロン6、ナイロン46）が特に好ましい。また、これらの合成繊維には原糸製造工程や後加工工程での工程通過性を向上させるために、各種添加剤を含有しても何ら問題はない。例えば、酸化防止剤、熱安定剤、平滑剤、帯電防止剤、増粘剤、難燃剤などである。
【００１６】
また、通気度低下や目ずれ防止のためのコート剤、ラミネート材としては特に限定するものではなく、クロロプレン、クロルスルフォン化オレフィン、シリコーンなどの合成ゴムを塗付またはゴム状のものを接着剤を介してコーティング及び／またはラミネートしても良いし、接着剤を介さずそのままコーティング及び／またはラミネートすることも可能である。
【００１７】
また、製織の際使用される織機についても特に限定はなく、例えばウォータージェットルーム、エアージェットルーム、レピアルーム、プロジェクタイルルームなどが使用される。しかし、織生産性、経糸へのダメージ、糸汚れなどを考慮するとウォータージェットルーム、エアージェットルームが特に好ましい。
【００１８】
また、袋織りの柄を決定する際には、ジャカード装置やドビー装置が用いられる。特に複雑な柄出しをするためには、ジャカード装置（電子式、機械式）が必要となり、更に生産性、柄変更の容易さより電子式ジャカード装置が好ましい。
【００１９】
本発明でいう袋織とは、2重織組織限らず、3重織、4重織のような多重織全般を指すものであり、織密度を考慮すると4重織までの多重織が好ましく、より好ましくは2重織である。
【００２０】
用いる色糸の色彩に関しては、使用する緯糸と色彩が異なれば構わないが、緯糸と同系色ではない色彩の糸がより好ましく、更に好ましくは経糸、緯糸とも異なる色彩で、経糸、緯糸とも同系色ではない色彩の色糸である。
【００２１】
以下、本発明の袋織エアバッグ基布及びエアバッグの好ましい例を添付図面を参照して詳述する。
【００２２】
図1、図2、図3の例は、今回使用した袋織エアバッグ基布の模式図である。形状等の因子を省くため、バッグの複雑な形状は取り入れず、簡単化した図面とした。1が袋部（多重布部）、2が接結一重部である。
【００２３】
【実施例】
次に実施例により、本発明を更に詳細に説明する。なお、実施例、比較例中の物性は下記の方法で評価した。
【００２４】
製織性：24時間製織後その停台回数を1時間あたりに換算し、◎が0〜1回／h、○が2〜3回／h、△が4〜5回／h、×が6回以上／hで製織性の評価とした。
【００２５】
基布品位：製織、加工後、コート前の基布品位を調査。基布品位は主に、経糸、緯糸に起因する欠点を中心に、毛羽、単糸切れ、シワ、ツリ等を検査し、判定は、◎：大変良好、○：良好、△：普通、×：悪いとした。
【００２６】
裁断作業性：コーティング後のエアバッグ基布を裁断する際の作業性、すなわち如何に正確に短時間で効率良く裁断出来るかを評価し、単位時間あたりの仕上がりバッグ数と、仕上がったバッグの形状品位（設定形状とのズレ）を総合的に判断して、◎：大変良好、○：良好、△：普通、×：悪いとした。
【００２７】
【実施例１】
経、緯糸に３50dtex／１０８ｆのナイロン６６フィラメント原糸を用い、エアージェットルームと電子ジャカード装置を用いて図1のエアバッグ図面を2重織エアバッグ基布として製織した。使用した原糸の色は、経糸、緯糸ともに白色で、図1−1袋部は平織、図1−2接結一重部は3×3バスケット組織にて形成し、加工後袋部密度が経60本／ｉｎ，緯60本／ｉｎになるよう袋織にて製織後、沸水収縮工程を通過させ、引き続き乾燥、セット工程を経て加工反を作製した。また、色糸は図1の示す通り、袋部と袋部の間にバッグの切り出し、切り終わり位置となる部分に緯糸のみで黒色糸を挿入した。織物の物性は表１に示す。
【００２８】
【実施例２】
経、緯糸に３50dtex／１０８ｆのナイロン６６フィラメント原糸を用い、エアージェットルームと電子ジャカード装置を用いて図1のエアバッグ図面を2重織エアバッグ基布として製織した。使用した原糸の色は、経糸が白色、緯糸が黒色で、図1−1袋部は平織、図1−2接結一重部は3×3バスケット組織にて形成し、加工後袋部密度が経60本／ｉｎ，緯60本／ｉｎになるよう袋織にて製織後、沸水収縮工程を通過させ、引き続き乾燥、セット工程を経て加工反を作製した。また、色糸は図1の示す通り、袋部と袋部の間にバッグの切り出し、切り終わり位置となる部分に緯糸のみで白色糸（経糸と同色）を挿入した。織物の物性は表１に示す。
【００２９】
【実施例３】
経、緯糸に３50dtex／１０８ｆのナイロン６６フィラメント原糸を用い、エアージェットルームと電子ジャカード装置を用いて図1のエアバッグ図面を2重織エアバッグ基布として製織した。使用した原糸の色は、経糸、緯糸ともに白色で、図1−1袋部は平織、図1−2接結一重部は3×3バスケット組織にて形成し、加工後袋部密度が経60本／ｉｎ，緯60本／ｉｎになるよう袋織にて製織後、沸水収縮工程を通過させ、引き続き乾燥、セット工程を経て加工反を作製した。また、色糸は図1の示す通り、袋部と袋部の間にバッグの切り出し、切り終わり位置となる部分に緯糸のみで薄黄色糸を挿入した。織物の物性は表１に示す。
【００３０】
【比較例１】
経、緯糸に３50dtex／１０８ｆのナイロン６６フィラメント原糸を用い、エアージェットルームと電子ジャカード装置を用いて図2のエアバッグ図面を2重織エアバッグ基布として製織した。使用した原糸の色は、経糸、緯糸ともに白色で、図2−1袋部は平織、図2−2接結一重部は3×3バスケット組織にて形成し、加工後袋部密度が経60本／ｉｎ，緯60本／ｉｎになるよう袋織にて製織後、沸水収縮工程を通過させ、引き続き乾燥、セット工程を経て加工反を作製した。また、色糸は図2の示す通り、バッグの左右切り出し、切り終わり位置となる部分に経糸のみで黒色糸を挿入した。織物の物性を表１に示す。
【００３１】
【比較例２】
経、緯糸に３50dtex／１０８ｆのナイロン６６フィラメント原糸を用い、エアージェットルームと電子ジャカード装置を用いて図3のエアバッグ図面を2重織エアバッグ基布として製織した。使用した原糸の色は、経糸、緯糸ともに白色で、図3−1袋部は平織、図3−2接結一重部は3×3バスケット組織にて形成し、加工後袋部密度が経60本／ｉｎ，緯60本／ｉｎになるよう袋織にて製織後、沸水収縮工程を通過させ、引き続き乾燥、セット工程を経て加工反を作製した。織物の物性を表１に示す。
【００３２】
【表１】
0004106589.tif 000002
【００３３】
表1の実施例1、2及び比較例1からわかるように、色糸によって裁断開始点を印し付けしている場合、裁断作業性は良好であるが、比較例3のように、全く印し付けが無い場合は裁断効率が落ちるだけでなく、仕上がったバッグの形状ムラが多く、ロス率の増加へつながる。
【００３４】
実施例2の場合、色糸の色彩の違いは緯糸とのみであり、経、緯糸共の色彩と異なる色糸を使用する実施例1とで比較すると、色糸を入れる効果は実施例1の方が高く、実施例2ではその効果が減少するが、切り出し位置を判別する程度は可能であるため、裁断作業性には問題は無く、良好である。また、実施例3の場合、用いた色糸の色彩が経糸、緯糸と同系色であったため、実施例1、2と比較すると、色彩を入れることによる目印効果が減少したが、裁断作業性に悪影響はなく、作業性は普通であった。
【００３５】
また、比較例1では、経糸に色糸を用いているため、地の経糸とのテンション差が出て、経糸ツリ現象が起こった。また、そのツリから派生した経糸単糸切れ、毛羽が増加し、基布品位は悪化した。
【００３６】
実施例1の場合、上記に記したように裁断開始点を色糸で印し付けしているだけでなく、その色糸を緯糸でのみ挿入しているため、製織性にも問題なく、基布品位も良好なままとなり、安全性に優れたエアバッグとなる。
【００３７】
【発明の効果】
本発明によれば、エアバッグの性能に影響を及ぼすことなく、エアバッグの裁断作業性に優れ、設計通り正確な形状に裁断出来るため、最終的には安全性に優れたエアバッグを供給することができる。
【図面の簡単な説明】
【図１】本発明による袋織りエアバッグ基布の一例（実施例）を示す平面図である。
【図２】本発明による袋織りエアバッグ基布の一例（比較例1）を示す平面図である。
【図３】本発明による袋織りエアバッグ基布の一例（比較例2）を示す平面図である。
【符号の説明】
1：袋部
2：エアバッグ作動時に袋体として膨張しない部分
【図１】
0004106589.tif 000003
【図２】
0004106589.tif 000004
【図３】
0004106589.tif 000005